(57)【要約】      （修正有）【課題】被介護者の中には、身勝手に下着を触って汚したり、尿カテーテルを引き抜いたりする者も多い。介護の現場では、患者の手の自由を拘束する様々な工夫がなされているが、総じて介護当事者双方に大きな負担を加えている。そこで、被介護者の自由を束縛せず、被介護者の着衣を清潔に保ちつつ、介護の能率を高める新しい被介護服を提供する。【解決手段】家事用“サロンエプロン”を基に、前身頃中心部に、布テープを縫い付け、ボタンを付け、後ろ身頃左右に二重ゴムを縫い付け、その左右の二重ゴムを前ボタンに掛けられるようにして、加えて、後ろ中央部に平面ファスナーを縫い付ける。被介護者は、エプロンをパジャマに重ね着することにより、下着やオムツに手を入れることができなくなる。しかも、エプロンは容易に着脱ができる。【選択図】図１
0003138018.tif 000002
【実用新案登録請求の範囲】
【請求項１】
本請求対象の「被介護者用エプロン」は、行動の自由を束縛することなく、被介護者が勝手に下着やおむつに触れることができないようにするために、▲１▼家事用のサロンエプロンの前身頃（まえみごろ）の裾中央部に、幅２ｃｍ、長さ７ｃｍの布テープを縫い付け、その先端部にボタン（直径２．５ｃｍ）を付け、▲２▼後ろ見頃（うしろみごろ）の裾部両端に、それぞれ同じ長さの板状ゴム（幅０．５ｃｍ、長さ１６ｃｍ）を二つ折りに輪にして付け、輪の先端から３．５ｃｍの部分を縫い止めして、▲３▼後ろ身頃の裾両側に付けた板状ゴム輪を前身頃に付いているボタンに掛けることができるようにした被介護服。
【請求項２】
本請求対象の「被介護者用エプロン」は、被介護者が着ているパジャマの上に重ね着して横になった状態でも着脱が容易にできるようにするために、請求項１に加えて、エプロンの背中部分にマジックテープを付けた被介護服。
【請求項３】
本請求対象の「被介護者用エプロン」は、被介護者がサロンエプロンの脇から手を入れて、カテーテルを引き抜くなどの悪さができないようにするために、脇刳りの肩からの長さはおよそ３６ｃｍとした被介護服。
【請求項４】
本請求対象の「被介護者用エプロン」は、被介護者が着ているパジャマの上に重ね着したままの状態でも、かさ張ることなく、また、洗濯もしやすいようにするため、網目の細かいメッシュ布地を素材とする被介護服。
【請求項５】
本請求対象の「被介護者用エプロン」は、歩行や体移動が自由にできるようにするために、サロンエプロンを応用して、腰回りに余裕をもたせた被介護服。
【考案の詳細な説明】
【技術分野】
【０００１】  本考案は、高齢認知症患者などの介護を能率よく行うために、被介護者のパジャマの上に重ね着させる「被介護者用の補助衣」に関するものである。
【背景技術】
【０００２】公開番号特開２００５−２７３０５２（Ｐ２００５−２７３０５２Ａ）
本考案との相違点：公開番号特開２００５−２７３０５２の保護衣と本考案は、課題およびその解決手段が似ている。しかし、課題解決のために、前者が両脇をファスナーとホックを使って接合する必要があるのに対して、本考案ではサロンエプロンを基にするので、両脇を接合する必要がなく、エプロンに縫い止めしたマジックテープで背中部を止めるだけの工夫で課題を解決できる点が異なる。さらに加えて、股部についても、ホックを使用して留めるのではなく、ボタンに板ゴムを掛けて着用することによって、接合部に余裕が生じ、動きやすくかつ動いても外れにくいという点で異なる。【０００３】公開番号特開２００３−５５８１９（Ｐ２００３−５５８１９Ａ）
本考案との相違点：公開番号特開２００３−５５８１９と本考案は、課題およびその解決手段が似ている。しかし、課題解決のために、前者が腹当てと左右一対の脇当てを別途に被介護者の体に取り付けるものであるのに対して、本考案はサロンエプロンを基に、その裾部と背中部に工夫を加えただけのものであり、被介護衣の製作が容易である点で異なる。
【考案の開示】
【考案が解決しようとする課題】
【０００４】  被介護者の中には、勝手に衣服を脱いで裸になったり、おしめを外したり、おしめに手を差し込んだり、尿カテーテルを引き抜く等の行為をする者がおり、介護者に本来の介護業務以外の余分な労力を強いることが多い。【０００５】  介護の現場では、被介護者の上記行為を防止するために、被介護者の両手をベッドに結束して行動の自由を奪い、また、介護者が被介護者の手を握りながら介護をおこなうなど、被介護者の手の動きを制限するなどの措置を講じている。しかし、前者の方法は人権軽視の問題を抱えており、後者の方法では介護者の体力を要し、介護の能率も低下する。被介護者用の保護衣に関する考案は、他でもなされているが、いまだ定着した評価を得ているものはない。【０００６】  そこで、被介護者の行動の自由を拘束することなく、被介護者の着衣を清潔に保ち、しかも介護の能率を高めるような新しい考案が望まれる。
【課題を解決するための手段】
【０００７】  家事用の“サロンエプロン”に次の工夫を加える。▲１▼前身頃（まえみごろ）の中央裾部に、幅２ｃｍ、長さ７ｃｍの布テープを縫い付け、その先端部にボタン（直径２．５ｃｍ）を付ける。▲２▼後ろ見頃（うしろみごろ）の裾部両端には、それぞれ同じ長さの板状ゴム（幅０．５ｃｍ、長さ１６ｃｍ）を二つ折りに輪にして付け、輪の先端から３．５ｃｍのところを縫い止めして、後ろ身頃の裾両側に付けた板状ゴム輪を前身頃に付いているボタンに掛けることができるようにする。【０００８】  さらに、上記の被介護者用エプロンの後ろ側にマジックテープを付ける。【０００９】  さらに、通常、家事用に使用する場合よりも１サイズ大きいエプロンをもとに上記の改良を加えることにより、腰回りに余裕をもたせる。
【考案の効果】
【００１０】  上記０００６の考案により、そのエプロンを被介護者がパジャマのうえに重ね着すると、下着やオムツに手を入れることができなくなる。その結果、被介護者の自由を拘束することなく、被介護者の衣服を清潔に保ちつつ、介護の能率をあげることができる。【００１１】  また、上記の０００７の新案により、被介護者が横になっている状態でも、エプロンの着脱を容易におこなうことができる。【００１２】  さらに、上記の０００８の工夫により、被介護者がエプロンを着たまま自由に歩行することができ、ベッドでも支障なく体位を移動することができ、着衣の違和感もない。
【考案を実施するための最良の形態】
【００１３】  高齢認知症患者や重度障害者の在宅介護および入院介護
【図面の簡単な説明】
【００１４】
【図１】前身頃（まえみごろ）を示した平面図である。
【図２】エプロンを着用して、裾部のボタンを掛けた状態を前身頃側から見た下半身の図である。
【図３】後ろ身頃（うしろみごろ）を示した平面図である。
【図４】前身頃側から見た、裾部のボタンを掛けた状態の拡大図である。
【符号の説明】
【００１５】１  エプロン
２  ズボン
３  ボタン
４  輪にした板ゴム
【図１】
0003138018.tif 000003
【図２】
0003138018.tif 000004
【図３】
0003138018.tif 000005
【図４】
0003138018.tif 000006
【手続補正書】
【提出日】平成19年8月17日(2007.8.17)
【手続補正１】
【補正対象書類名】実用新案登録請求の範囲
【補正対象項目名】全文
【補正方法】変更
【補正の内容】
【実用新案登録請求の範囲】
【請求項１】
本請求対象の「被介護者用エプロン」は、行動の自由を束縛することなく、被介護者が勝手に下着やおむつに触れることができないようにするために、▲１▼家事用のサロンエプロンの前身頃（まえみごろ）の裾中央部に、幅２ｃｍ、長さ７ｃｍの布テープを縫い付け、その先端部にボタン（直径２．５ｃｍ）を付け、▲２▼後ろ見頃（うしろみごろ）の裾部両端に、それぞれ同じ長さの丸ゴム（直径０．３ｃｍ、長さ約１４ｃｍ）を二つ折りに輪にして付け、輪の先端から３．５ｃｍの部分を縫い止めして、▲３▼後ろ身頃の裾両側に付けた丸ゴム輪を前身頃に付いているボタンに掛けることができるようにした被介護服。
【請求項２】
本請求対象の「被介護者用エプロン」は、被介護者がサロンエプロンの脇から手を入れて、カテーテルを引き抜くなどの悪さができないようにするために、脇刳りの肩からの長さはおよそ３６ｃｍとした被介護服。
【請求項３】
本請求対象の「被介護者用エプロン」は、被介護者が着ているパジャマの上に重ね着したままの状態でも、かさ張ることなく、また、洗濯もしやすいようにするため、綿とポリエステルの混紡布地を素材とする被介護服。
【手続補正２】
【補正対象書類名】明細書
【補正対象項目名】全文
【補正方法】変更
【補正の内容】
【考案の詳細な説明】
【技術分野】
【０００１】  本考案は、高齢認知症患者などの介護を能率よく行うために、被介護者のパジャマの上に重ね着させる「被介護者用の補助衣」に関するものである。
【背景技術】
【０００２】  公開番号特開２００５−２７３０５２（Ｐ２００５−２７３０５２Ａ）
本考案との相違点：公開番号特開２００５−２７３０５２の保護衣と本考案は、課題およびその解決手段が似ている。しかし、課題解決のために、前者が両脇をファスナーとホックを使って接合するものであるのに対して、本考案ではサロンエプロンの上部をボタンで留め、腰部は紐結びで留めることによって、前者のようにエプロンの両脇を接合しないで課題を解決する点が異なる。さらに加えて、股部についても、ホックを使用して留めるのではなく、ボタンに丸ゴムを掛けて着用することによって、接合部に余裕が生じ、動きやすくかつ動いても外れにくいという点で異なる。【０００３】  公開番号  特開２００３−５５８１９（Ｐ２００３−５５８１９Ａ）
本考案との相違点：公開番号特開２００３−５５８１９と本考案は、課題およびその解決手段が似ている。しかし、課題解決のために、前者が腹当てと左右一対の脇当てを別途に被介護者の体に取り付けるものであるのに対して、本考案はサロンエプロンを基に、その裾部に工夫を加えただけのものであり、被介護衣の製作が容易である点で異なる。
【考案の開示】
【０００４】  被介護者の中には、勝手に衣服を脱いで裸になったり、おしめを外したり、おしめに手を差し込んだり、尿カテーテルを引き抜く等の行為をする者がおり、介護者に本来の介護業務以外の余分な労力を強いることが多い。
【０００５】  介護の現場では、被介護者の上記行為を防止するために、被介護者の両手をベッドに結束して行動の自由を奪い、また、介護者が被介護者の手を握りながら介護をおこなうなど、被介護者の手の動きを制限するなどの措置を講じている。しかし、前者の方法は人権軽視の問題を抱えており、後者の方法では介護者の体力を要し、介護の能率も低下する。被介護者用の保護衣に関する考案は、他でもなされているが、いまだ定着した評価を得ているものはない。
【０００６】  そこで、被介護者の行動の自由を拘束することなく、被介護者の着衣を清潔に保ち、しかも介護の能率を高めるような新しい考案が望まれる。
【課題を解決するための手段】
【０００７】  家事用の“サロンエプロン”に次の工夫を加える。▲１▼前身頃（まえみごろ）の中央裾部に、幅２ｃｍ、長さ７ｃｍの布テープを縫い付け、その先端部にボタン（直径２．５ｃｍ）を付ける。▲２▼後ろ見頃（うしろみごろ）の裾部両端には、それぞれ同じ長さの丸ゴム（直径０．３ｃｍ、長さ約１４ｃｍ）を二つ折りに輪にして付け、輪の先端から３．５ｃｍのところを縫い止めして、後ろ身頃の裾両側に付けた丸ゴム輪を前身頃に付いているボタンに掛けることができるようにする。
【考案の効果】
【０００８】  上記０００７の考案により、そのエプロンを被介護者がパジャマのうえに重ね着すると、下着やオムツに手を入れることができなくなる。その結果、被介護者の自由を拘束することなく、被介護者の衣服を清潔に保ちつつ、介護の能率をあげることができる。
【０００９】  また、上記の０００７の新案により、被介護者が横になっている状態でも、エプロンの着脱を容易におこなうことができる。
【考案を実施するための最良の形態】
【００１０】  高齢認知症患者や重度障害者の在宅介護および入院介護
【図面の簡単な説明】
【００１１】
【図１】前身頃（まえみごろ）を示した平面図である。
【図２】エプロンを着用して、裾部のボタンを掛けた状態を前身頃側から見た下半身の図である。
【図３】後ろ身頃（うしろみごろ）を示した平面図である。
【図４】前身頃側から見た、裾部のボタンを掛けた状態の拡大図である。
【符号の説明】
【００１２】  １  エプロン
２  ズボン
３  ボタン
４  輪にした丸ゴム
【手続補正３】
【補正対象書類名】図面
【補正対象項目名】図３
【補正方法】変更
【補正の内容】
【図３】
0003138018.tif 000007